(57)【要約】【課題】  簡単な操作で、ネットワーク上の所望の放送局にアクセスして放送コンテンツを聴取（視聴）可能とする。【解決手段】  所望のネットワーク放送局を選択するための選局情報を、ユーザにより選局される可能性の高い順に並べて表示部１４に表示する。また、通信事業者網対応無線通信部１及び近距離無線通信部２を備えており、ユーザが所望の選局情報を選択すると、この選局情報に対応するネットワーク放送局に、通信費用が無料或いは安価な近距離無線通信部２を優先的に用いて接続して放送コンテンツの取り込みを行う。また、放送コンテンツの視聴中（聴取中）は、通信事業者網対応無線通信部１及び近距離無線通信部２の各伝送速度を監視し、伝送速度が良好な無線通信部に、ネットワーク放送局との間の通信に用いる無線通信部を切り替えることで、放送コンテンツの安定した視聴（聴取）を図る。【選択図】  図１
2007036911.tif 000002
【特許請求の範囲】
【請求項１】
ネットワークを介して放送信号の配信を行う放送局を選局するための選局情報を記憶する選局情報記憶手段と、
上記選局情報記憶手段に記憶されている複数の選局情報の並べ替え順序を指定するための並べ替え順序指定手段と、
上記並べ替え順序指定手段で指定された並べ替え順序に従って、上記各選局情報を、順次、選択操作するための操作手段と、
上記操作手段を介して選択された選局情報に対応する放送局との間で通信を行い、この放送局から配信されている放送信号を上記ネットワークを介して取り込む通信手段と、
上記通信手段により取り込まれた上記放送信号を再生する再生手段と
を有する携帯端末装置。
【請求項２】
請求項１に記載の携帯端末装置であって、
上記通信手段は、近距離無線通信網を介して上記放送信号の取り込みを行う近距離無線通信手段と、通信事業者網を介して上記放送信号の取り込みを行う通信事業者網対応無線通信手段とを少なくとも有し、
上記放送信号の取り込みを行う際に、上記近距離無線通信手段及び上記通信事業者網対応無線通信手段のうち、該近距離無線通信手段を優先的に用いて上記放送信号の取り込みを行うように上記各無線通信手段を制御すると共に、上記放送信号の取り込みを行っている間、上記各無線通信手段の通信状態をそれぞれ監視し、通信状態が良好な方の無線通信手段を用いて上記放送信号の取り込みを行うように、該放送信号の取り込みに用いる無線通信手段の切り替え制御を行う切り替え制御手段を有すること
を特徴とする携帯端末装置。
【請求項３】
請求項２に記載の携帯端末装置であって、
上記切り替え制御手段は、上記無線通信手段の切り替え制御を行ってから、次に無線通信手段の切り替え制御を行うまでの間に、所定時間の間隔を空けて該切り替え制御を行うこと
を特徴とする携帯端末装置。
【請求項４】
請求項１から請求項３のうち、いずれか一項に記載の携帯端末装置であって、
上記再生手段により再生される放送信号の連続再生時間をカウントし、このカウントしている連続再生時間が、上記操作手段を介して指定された時間となった際に、上記再生手段の再生動作を停止制御するタイマ手段を有すること
を特徴とする携帯端末装置。
【請求項５】
請求項４に記載の携帯端末装置であって、
上記操作手段を介して選択された選局情報に対応する放送局の選択回数をカウントする選択回数カウント手段を有し、
上記並べ替え順序指定手段で、上記選択回数カウント手段でカウントされた上記選択回数が多い順に各選局情報の並べ替えが指定されている場合、上記操作手段は選択操作がなされる毎に、上記選択回数カウント手段でカウントされた上記選択回数が多い順に、上記各選局情報を、順次、選択すること
を特徴とする携帯端末装置。
【請求項６】
請求項１から請求項５のうち、いずれか一項に記載の携帯端末装置であって、
上記再生手段により再生される放送信号が音声のみの放送信号であった場合、この音声のみの放送信号の再生中、上記表示手段を駆動停止制御する表示停止手段を有すること
を特徴とする携帯端末装置。
【請求項７】
ネットワークを介して放送信号の配信を行う放送局を選局するための選局情報を選局情報記憶手段に記憶する選局情報記憶制御手段としてコンピュータを機能させ、
コンピュータを上記選局情報記憶制御手段として機能させることで上記選局情報記憶手段に記憶された複数の選局情報を、操作手段の選択操作に対応して、並べ替え順序指定手段で指定された並べ替え順序に従って、順次、選択する選択制御手段としてコンピュータを機能させ、
コンピュータを上記選択制御手段として機能させることで、上記選択された選局情報に対応する放送局との間で通信を行い、この放送局から配信されている放送信号を上記ネットワークを介して取り込むように通信手段を制御する通信制御手段としてコンピュータを機能させ、
上記通信手段により取り込まれた上記放送信号を再生するように再生手段を制御する再生制御手段としてコンピュータを機能させること
を特徴とするネットワーク放送受信プログラム。
【請求項８】
請求項７に記載のネットワーク放送受信プログラムであって、
上記通信制御手段としてコンピュータを機能させる際に、上記通信手段として設けられた、近距離無線通信網を介して上記放送信号の取り込みを行う近距離無線通信手段、及び通信事業者網を介して上記放送信号の取り込みを行う通信事業者網対応無線通信手段のうち、該近距離無線通信手段を優先的に用いて上記放送信号の取り込みを行うように上記各無線通信手段を制御する上記通信制御手段としてコンピュータを機能させ、
上記いずれかの無線通信手段で放送信号の取り込みを行っている間、上記各無線通信手段の通信状態を監視し、通信状態が良好な方の無線通信手段を用いて上記放送信号の取り込みを行うように、該放送信号の取り込みに用いる無線通信手段を切り替え制御する切り替え制御手段としてコンピュータを機能させること
を特徴とするネットワーク放送受信プログラム。
【請求項９】
請求項７又は請求項８に記載のネットワーク放送受信プログラムであって、
上記再生手段により再生される放送信号が音声のみの放送信号であるか、音声及び映像の放送信号であるかを判別する放送種別判別手段としてコンピュータを機能させ、
上記放送種別判別手段としてコンピュータを機能させた際に、上記再生手段により再生される放送信号が音声のみの放送信号であると判別された場合、この音声のみの放送信号の再生中、上記表示手段を駆動停止制御する表示停止手段としてコンピュータを機能させること
を特徴とするネットワーク放送受信プログラム。
【請求項１０】
選局情報記憶制御手段が、ネットワークを介して放送信号の配信を行う放送局を選局するための選局情報を選局情報記憶手段に記憶するステップと、
選択制御手段が、上記選局情報記憶手段に記憶された複数の選局情報を、操作手段の選択操作に対応して、並べ替え順序指定手段で指定された並べ替え順序に従って、順次、選択制御するステップと、
通信制御手段が、上記ステップで選択された選局情報に対応する放送局との間で通信を行い、この放送局から配信されている放送信号を上記ネットワークを介して取り込むように通信手段を制御するステップと、
再生制御手段が、上記通信手段により取り込まれた上記放送信号を再生するように再生手段を制御するステップと
を有するネットワーク放送受信方法。
【請求項１１】
請求項１０に記載のネットワーク放送受信方法であって、
上記通信制御手段が上記通信手段を制御するステップでは、該通信手段として設けられた、近距離無線通信網を介して上記放送信号の取り込みを行う近距離無線通信手段、及び通信事業者網を介して上記放送信号の取り込みを行う通信事業者網対応無線通信手段のうち、該近距離無線通信手段を優先的に用いて上記放送信号の取り込みを行うように上記各無線通信手段を制御し、
切り替え制御手段が、上記いずれかの無線通信手段で放送信号の取り込みを行っている間、上記各無線通信手段の通信状態を監視し、通信状態が良好な方の無線通信手段を用いて上記放送信号の取り込みを行うように、該放送信号の取り込みに用いる無線通信手段を切り替え制御するステップを有すること
を特徴とするネットワーク放送受信方法。
【請求項１２】
請求項１０又は請求項１１に記載のネットワーク放送受信方法であって、
放送種別判別手段が、上記再生手段により再生される放送信号が音声のみの放送信号であるか、音声及び映像の放送信号であるかを判別するステップと、
上記ステップにおいて、上記再生手段により再生される放送信号が音声のみの放送信号であると判別された場合、表示停止手段が、この音声のみの放送信号の再生中、上記表示手段を駆動停止制御するステップと
を有することを特徴とするネットワーク放送受信方法。
【発明の詳細な説明】
【技術分野】
【０００１】
本発明は、ネットワークを介して放送されるラジオ放送やビデオ放送等の放送コンテンツの受信機能を備えた、例えば携帯電話機，ＰＨＳ電話機（PHS：Personal Handyphone System）、無線通信機能を備えたＰＤＡ装置（PDA：Personal Digital Assistant），ノート型のパーソナルコンピュータ装置等に適用して好適な携帯端末装置、ネットワーク放送受信プログラム及びネットワーク放送受信方法に関する。
【背景技術】
【０００２】
今日において、インターネットを介してラジオ放送やビデオ放送等のインターネット放送を行う多数のインターネット放送局が知られている。そして、このインターネット放送を受信するシステムとして、特開２００２−２０７６６６号の公開特許公報（特許文献１）に、インターネットラジオ／ビデオ受信機システムが開示されている。
【０００３】
このインターネットラジオ／ビデオ受信機システムでは、外部装置から受信した所望のインターネット放送局のＷｅｂアドレス、或いはユーザが手動で入力した所望のインターネット放送局のＷｅｂアドレスをクライアントシステムを介して無線送信する。
【０００４】
この無線送信されたＷｅｂアドレスは、リモートコントロール受信機システムで受信され、要求モジュールに送信される。要求モジュールは、このＷｅｂアドレスに対応するインターネット放送局にアクセスし、インターネット放送の取り込みを行う。これにより、上記クライアントシステムを介した遠隔操作により、所望のインターネット放送を聴取（視聴）することができる。
【０００５】
【特許文献１】特開２００２−２０７６６６号公報（第５頁〜第６頁：図２）
【発明の開示】
【発明が解決しようとする課題】
【０００６】
しかし、特許文献１に開示されているインターネットラジオ／ビデオ受信機システムの場合、上記遠隔操作を行う毎に、所望のインターネット放送局に対応するＷｅｂアドレスを、外部装置から受信し、或いは手動で入力する必要がある。このため、インターネット放送を聴取（視聴）する毎に、所望のインターネット放送局に対応するＷｅｂアドレスの大変面倒な入力操作が必要となる問題があった。
【０００７】
本発明は上述の課題に鑑みてなされたものであり、簡単な操作で所望のインターネット放送局にアクセスしてインターネット放送を聴取（視聴）することができるような携帯端末装置、ネットワーク放送受信プログラム及びネットワーク放送受信方法の提供を目的とする。
【課題を解決するための手段】
【０００８】
本発明に係る携帯端末装置は、上述の課題を解決するための手段として、
ネットワークを介して放送信号の配信を行う放送局を選局するための選局情報を記憶する選局情報記憶手段と、
上記選局情報記憶手段に記憶されている複数の選局情報の並べ替え順序を指定するための並べ替え順序指定手段と、
上記並べ替え順序指定手段で指定された並べ替え順序に従って、上記各選局情報を、順次、選択操作するための操作手段と、
上記操作手段を介して選択された選局情報に対応する放送局との間で通信を行い、この放送局から配信されている放送信号を上記ネットワークを介して取り込む通信手段と、
上記通信手段により取り込まれた上記放送信号を再生する再生手段と
を有する。
【０００９】
また、本発明に係るネットワーク放送受信プログラムは、上述の課題を解決するために、
ネットワークを介して放送信号の配信を行う放送局を選局するための選局情報を選局情報記憶手段に記憶する選局情報記憶制御手段としてコンピュータを機能させ、
コンピュータを上記選局情報記憶制御手段として機能させることで上記選局情報記憶手段に記憶された複数の選局情報を、操作手段の選択操作に対応して、並べ替え順序指定手段で指定された並べ替え順序に従って、順次、選択する選択制御手段としてコンピュータを機能させ、
コンピュータを上記選択制御手段として機能させることで、上記選択された選局情報に対応する放送局との間で通信を行い、この放送局から配信されている放送信号を上記ネットワークを介して取り込むように通信手段を制御する通信制御手段としてコンピュータを機能させ、
上記通信手段により取り込まれた上記放送信号を再生するように再生手段を制御する再生制御手段としてコンピュータを機能させる。
【００１０】
また、本発明に係るネットワーク放送受信方法は、上述の課題を解決するための手段として、
選局情報記憶制御手段が、ネットワークを介して放送信号の配信を行う放送局を選局するための選局情報を選局情報記憶手段に記憶するステップと、
選択制御手段が、上記選局情報記憶手段に記憶された複数の選局情報を、操作手段の選択操作に対応して、並べ替え順序指定手段で指定された並べ替え順序に従って、順次、選択制御するステップと、
通信制御手段が、上記ステップで選択された選局情報に対応する放送局との間で通信を行い、この放送局から配信されている放送信号を上記ネットワークを介して取り込むように通信手段を制御するステップと、
再生制御手段が、上記通信手段により取り込まれた上記放送信号を再生するように再生手段を制御するステップと
を有する。
【００１１】
このような本発明は、ネットワークを介して放送信号の配信を行う放送局を選局するための選局情報を選局情報記憶手段に記憶しておき、この選局情報記憶手段に記憶された各選局情報を、操作手段の選択操作に対応して、並べ替え順序指定手段で指定された並べ替え順序に従って、順次、選択可能とする。そして、この選択された選局情報に対応する放送局との間で通信を行い、この放送局から配信されている放送信号を上記ネットワークを介して取り込んで再生する。
【００１２】
これにより、ユーザは、選局情報の並べ替え順序を指定して操作手段を操作するだけで、該指定した並べ替え順序に従って、選局情報を、順次、選択して、所望の放送局の放送信号を聴取（視聴）することができる。
【発明の効果】
【００１３】
本発明は、簡単な操作で、ネットワーク上の所望の放送局にアクセスして放送コンテンツを聴取（視聴）することができる。
【発明を実施するための最良の形態】
【００１４】
本発明は、携帯電話機に適用することができる。
【００１５】
［携帯電話機の構成］
まず、図１に、この本発明の実施の形態となる携帯電話機のブロック図を示す。この図１に示すように、この実施の形態の携帯電話機は、当該携帯電話機の通信事業者の通信事業者網に設けられた基地局との間で無線通信を行う通信事業者網対応無線通信部１と、店舗内やオフィス内に設けられたベースステーションや無線ＬＡＮカード（LAN：Local Area Network）等の中継機器との間で近距離無線通信行うことで、該中継機器を介してインターネット等の公衆回線網に接続されたサーバ装置等との間の通信を可能とする近距離無線通信部２とを有している。
【００１６】
通信事業者網対応無線通信部１は、上記基地局との間でデータの送受信を行うアンテナ３と、基地局に送信するデータをアンテナ３に、また、アンテナ３で受信したデータを受信系に分配する分配器４と、送信回路５及び送信集積回路部６（送信ＩＣ）を備えた送信系と、受信回路７及び受信集積回路部８（受信ＩＣ）を備えた受信系とを有している。
【００１７】
近距離無線通信部２は、上記ベースステーションや無線ＬＡＮカードとの間でデータの送受信を行う近距離無線通信用アンテナ９と、例えば「ＩＥＥＥ  ８０２．１１ｂ」で規格化された通信プロトコルに基づく近距離無線通信を行う無線ＬＡＮモジュール１０とを有している。
【００１８】
また、この携帯電話機は、アドレス帳、電話帳、スケジュール帳等のユーザ情報や送受信された携帯メールの文章情報、及び図示しないカメラ装置で撮像された静止画像情報及び動画像情報の他、各種設定情報、及び各種通信プログラム及び各種アプリケーションプログラムが記憶されたメモリ１１と、現在時刻をカウントするタイマ１２と、所定の入力操作を行うための操作部１３とを有している。
【００１９】
メモリ１１に記憶されている各種通信プログラムとしては、上記通信事業者網に設けられた基地局との間で無線通信を行うための通信プログラム、及び上記店舗内やオフィス内に設けられたベースステーションや無線ＬＡＮカード等の中継機器との間で近距離無線通信を行うための近距離無線通信プログラムが記憶されている。
【００２０】
また、メモリ１１に記憶されている各種アプリケーションプログラムとしては、上記カメラ装置で撮像を行うためのカメラアプリケーションプログラムや、音楽データを再生するための音楽プレーヤアプリケーションプログラム等の他、インターネット等の所定のネットワーク上に設けられたネットワーク放送局から配信されるラジオ放送やビデオ放送を受信するためのネットワーク放送受信プログラムが記憶されている。
【００２１】
また、メモリ１１に記憶されている各種設定情報としては、上記ネットワーク放送局のうち、所望のネットワーク放送局にアクセスするための選局情報、ユーザにより指定された各選局情報の表示順序を示す表示順指定情報、各ネットワーク放送局に対してそれぞれユーザがアクセスした回数を示す選択回数情報等が記憶されている。
【００２２】
また、この携帯電話機は、上記メモリ１１に記憶されているアドレス帳や電話帳の情報及び送受信された携帯メールの文章情報の他、インターネット放送局から受信したビデオ放送の映像等を表示する表示部１４と、着信音の他、インターネット放送局から受信したラジオ放送及びビデオ放送の音声等を出力するスピーカ部１５と、上記メモリ１１に記憶されている通信プログラムや各種アプリケーションプログラムに基づいて、通信制御や各種入出力制御を行う制御部１６（ＣＰＵ）とを有している。
【００２３】
図２は、この携帯電話機の外観の斜視図である。この図２に示すように、この携帯電話機は、筐体全体が略直方体形状を有しており、この筐体の正面部２１ａの略上半分の領域に例えば液晶表示部等の上記表示部１４が設けられている。また、この正面部２１ａの略下半分の領域、及び筐体の右側面部２１ｂに上記操作部１３が設けられている。
【００２４】
具体的には、上記正面部２１ａには、上記操作部１３として数字入力や文字入力を行うための１２キー２２と、カーソル等を上下左右に移動操作するための十字キー２３と、オンフックキー２４（終話キー）及びオフフックキー２５（発話キー）とが設けられている。また、上記右側面部２１ｂには、上記操作部１３として、ネットワーク放送の視聴（聴取）の開始を指示するためのネットワーク放送キー２６と、視聴或いは聴取するネットワーク放送局を選局するための選局アップキー２７及び選局ダウンキー２８とが設けられている。
【００２５】
なお、この例では、ネットワーク放送局を選局するためのキーとして、選局アップキー２７及び選局ダウンキー２８を設けることとしたが、上記十字キー２３の上キー及び下キーを、この選局アップキー２７及び選局ダウンキー２８として用いてもよい。
【００２６】
［ネットワーク放送の視聴（聴取）動作］
次に、このような実施の形態の携帯電話機におけるネットワーク放送の視聴（聴取）動作を説明する。図３は、当該実施の形態の携帯電話機におけるネットワーク放送の視聴（聴取）動作の流れを示したフローチャートである。この図３のフローチャートは、図１に示すメモリ１１に記憶されているネットワーク放送受信プログラムに基づくＣＰＵ１６の動作を示しており、ＣＰＵ１６は、当該携帯電話機のメイン電源の投入を検出することで、この図３のフローチャートに示す処理をスタートとさせる。
【００２７】
ユーザは、ネットワーク放送を視聴（聴取）する場合、図２に示したネットワーク放送キー２６を操作して該ネットワーク放送の視聴（聴取）を指定するのであるが、ＣＰＵ１６は、メイン電源の投入を検出すると、このネットワーク放送キー２６の操作の有無の監視を開始する。そして、図３のフローチャートのステップＳ１において、ネットワーク放送キー２６の操作を検出するとステップＳ２に処理を進め、使用可能な通信回線の検出を行う。
【００２８】
具体的には、上述のように当該実施の形態の携帯電話機は、当該携帯電話機の通信事業者の通信事業者網に設けられた基地局との間で無線通信を行う通信事業者網対応無線通信部１と、店舗内やオフィス内に設けられたベースステーションや無線ＬＡＮカード等の中継機器との間で近距離無線通信行うことで、該中継機器を介してインターネット等の公衆回線網に接続されたサーバ装置等との間の通信を可能とする近距離無線通信部２とを有している。
【００２９】
この２つの無線通信部１、２のうち、通信事業者網対応無線通信部１を使用する無線通信は、通信料を必要とする場合が多いのであるが、近距離無線通信部２を使用する無線通信は、通信料を必要としない場合が多い。このため、当該実施の形態の携帯電話機では、近距離無線通信部２が使用可能である場合には、この近距離無線通信部２を優先的に使用して通信を行うようになっている。
【００３０】
すなわち、ＣＰＵ１６は、処理をステップＳ２に進めると、まず、近距離無線通信部２を用いた通信が可能であるか否かを判別する。そして、近距離無線通信部２を用いた通信が可能である場合は処理をステップＳ３に進め、近距離無線通信部２を用いた通信は行うことができないが、通信事業者網対応無線通信部１を用いた通信が可能である場合は処理をステップＳ１２に進める。
【００３１】
ステップＳ３では、ＣＰＵ１６が、通信に使用する無線通信部を上記近距離無線通信部２に設定して処理をステップＳ４に進める。また、ステップＳ１２では、ＣＰＵ１６が、通信に使用する無線通信部を上記通信事業者網対応無線通信部１に設定して処理をステップＳ４に進める。
【００３２】
後述するが、ＣＰＵ１６は、ネットワーク放送の視聴（聴取）が指定されると、所望のネットワーク放送局を選局するための選局情報を表示部１４に表示するのであるが、この選局情報の表示順序はユーザが指定可能となっている。このため、ステップＳ４では、ＣＰＵ１６が、ユーザにより指定された表示順に選局情報を表示部１４に表示して処理をステップＳ５に進める。
【００３３】
ユーザは、このように指定された表示順に表示された選局情報の中から、選局アップキー２７或いは選局ダウンキー２８を操作して所望のネットワーク放送局に対応する選局情報を選局するのであるが、ステップＳ５では、ＣＰＵ１６が、この選局によりラジオ放送のネットワーク放送局が指定されたか否かを判別する。
【００３４】
すなわち、ネットワーク放送局には音声のみの配信を行うラジオ放送局と、音声及び映像の配信を行うビデオ放送局とが存在する。このため、ＣＰＵ１６は、ステップＳ５において、このラジオ放送局及びビデオ放送局のうち、音声のみの配信を行うラジオ放送局が選局されたか否かを判別する。そして、ラジオ放送局が選局されたと判別した場合は処理をステップＳ６に進め、ビデオ放送局が選局されたと判別した場合は処理をステップＳ１３に進める。
【００３５】
上述のようにラジオ放送局からは音声のみが配信される。このため、ＣＰＵ１６は、ラジオ放送局が選局されたと判別して処理をステップＳ６に進めると、音声の聴取に不要な表示部１４の駆動を停止制御して処理をステップＳ７に進める。これにより、ラジオ放送の聴取時に表示部１４を駆動することで、電源が無駄に消費される不都合を防止することができる（省電力モード）。
【００３６】
これに対して、ビデオ放送を視聴する際には、映像の表示が必要となる。このため、ＣＰＵ１６は、ビデオ放送局が選局されたと判別して処理をステップＳ１３に進めると、映像の表示に必要な表示部１４を駆動可能な状態に制御して処理をステップＳ７に進める。
【００３７】
次に、ユーザによりラジオ放送局が選局された場合、及びビデオ放送局が選局された場合のいずれの場合も音声を出力制御する必要がある。このため、ＣＰＵ１６は、ステップＳ７において、図１に示すスピーカ部１５を駆動可能な状態に設定してステップＳ８に処理を進める。
【００３８】
ステップＳ８では、ＣＰＵ１６が、上記ステップＳ５においてユーザにより選局されたネットワーク放送局との間で通信を開始するように、上記いずれかの無線通信部１，２を通信制御してステップＳ９に処理を進める。すなわち、上記ステップＳ３において近距離無線通信部２が、使用する無線通信部として設定されていた場合には、ＣＰＵ１６は、このステップＳ８において、この近距離無線通信部２を通信制御して上記ネットワーク放送局との間で通信を開始し、上記ステップＳ１２において通信事業者網対応無線通信部１が、使用する無線通信部として設定されていた場合には、ＣＰＵ１６は、このステップＳ８において、この通信事業者網対応無線通信部１を通信制御して上記ネットワーク放送局との間で通信を開始する。
【００３９】
これにより、ユーザにより選局されたネットワーク放送局から配信されているラジオ放送が上記いずれかの無線通信部１、２を介して取り込まれ、このラジオ放送に対応する音声がスピーカ部１５を介して出力され、或いはユーザにより選局されたネットワーク放送局から配信されているビデオ放送が上記いずれかの無線通信部１、２を介して取り込まれ、このビデオ放送に対応する音声がスピーカ部１５を介して出力されると共に、このビデオ放送に対応する映像が表示部１３に表示されることとなる。
【００４０】
次に、このようにネットワーク放送局との間で通信を開始すると、ＣＰＵ１６は、ステップＳ９において、図１に示すタイマ１２でカウントされる現在時刻に基づいて、上記ネットワーク放送局との間で通信を開始してから所定時間が経過したか否かを判別する。そして、この所定時間の経過を検出したタイミングで処理をステップＳ１０に進め、メモリ１１に記憶されている、現在、通信を行っているネットワーク放送局に対応する選局情報の選択回数を「１」インクリメントする。
【００４１】
〔選局情報〕
ここで、ネットワーク放送局から配信されるコンテンツには、該コンテンツの配信を行っているネットワーク放送局の「放送局名」、該ネットワーク放送局の「放送局アドレス」、配信しているコンテンツの「ストリーミングファイルアドレス」、及びネットワーク放送局が配信しているコンテンツの「ジャンル（ニュース、映画、ドラマ、バラエティ、歌謡曲、ジャズ、ロックミュージック等）」を示す各情報が付加されて配信されるようになっている。
【００４２】
このため、ＣＰＵ１６は、ネットワーク放送局からコンテンツの取り込みを行う毎に、この取り込みを行ったコンテンツから上記「放送局名」、「放送局アドレス」、「ストリーミングファイルアドレス」及び「ジャンル」を抽出し、これらの情報を上記タイマ１２でカウントされている日付、及びユーザにより選局された回数を示す選局回数と共に「選局情報」としてメモリ１１に記憶制御する。
【００４３】
上記ステップＳ１０において実行される選択回数のインクリメント処理は、上記メモリに記憶されている、現在、選局中のネットワーク放送局に対応する選局情報の選局回数が「１」インクリメントされることを意味している。
【００４４】
すなわち、各ネットワーク放送局が選局される毎に、該各ネットワーク放送局に対応する選局情報がメモリ１１内に記憶され、過去に選局されたネットワーク放送局と同じネットワーク放送局が再度選局された際に、このネットワーク放送局に対応する選局情報の選局回数が一つずつインクリメントされるようになっている。
【００４５】
なお、上記ステップＳ９において所定時間の経過を待って、このインクリメント処理を実行するようになっているが、これは、選局がなされてから所定時間が経過した際に、真に視聴や聴取のための選局がなされたものとＣＰＵ１６側で判断することとしたためである。これにより、流し見や流し聞きのための選局で上記選局回数がインクリメントされる不都合を防止することができる。
【００４６】
次に、ＣＰＵ１６は、図３のフローチャートのステップＳ１１において、ユーザにより他のネットワーク放送局の選局が指定され、或いはネットワーク放送の視聴（聴取）の終了が指定されることで、現在、選局中のネットワーク放送の視聴（聴取）の終了が指定されたか否かを判別する。そして、現在、選局中のネットワーク放送の視聴（聴取）の終了が指定されていないものと判別した場合、処理をステップＳ８に戻し、現在、選局中のネットワーク放送の選局を継続制御し、現在、選局中のネットワーク放送の視聴（聴取）の終了が指定されたものと判別した場合、そのままこの図３のフローチャートに示す処理を終了する。
【００４７】
［選局情報の表示動作］
次に、この図３のフローチャートのステップＳ４における各選局情報の表示動作を詳細に説明する。この実施の形態の携帯電話機の場合、上述のように各ネットワーク放送局が選局される毎に、該各ネットワーク放送局に対応する選局情報がメモリ１１内に記憶され、過去に選局されたネットワーク放送局と同じネットワーク放送局が再度選局された際に、このネットワーク放送局に対応する選局情報の選局回数が一つずつインクリメントされるようになっている。
【００４８】
ＣＰＵ１６は、ユーザにより表示順序の指定がなされていない場合、例えば放送局名の頭文字の五十音順にメモリ１１に記憶されている各選局情報を読み出し、これらを図４（ａ）に示すように表示部１４に表示制御する。この図４（ａ）からわかるように、ＣＰＵ１６は、ラジオ放送のネットワーク放送局毎、及びビデオ放送のネットワーク放送局毎に各選局情報を分別して表示するようになっており、一例ではあるが、デフォルトとしてラジオ放送のネットワーク放送局の各選局情報を表示し、ユーザによりビデオ放送のネットワーク放送局の表示が指定された際に、上記デフォルトとして表示しているラジオ放送のネットワーク放送局の各選局情報を、ビデオ放送のネットワーク放送局の各選局情報に切り替えて表示する。
【００４９】
次に、このように表示される各選局情報の表示順序はユーザが任意に指定可能となっている。具体的には、ユーザにより操作部１３を介して上記選局情報の表示順序の選択が指定されると、ＣＰＵ１６は、例えば図４（ｂ）に示すような選局情報の表示順序の選択画面を表示部１４に表示制御する。
【００５０】
この図４（ｂ）からわかるように、選局情報の表示順序の選択画面としては、上記ニュース、映画、ジャズ、ロックミュージック等のジャンル順に各選局情報を並べ替えて表示する「ジャンル順」、過去に選局された回数が多い順に各選局情報を並べ替えて表示する「選択回数順」、ランダムに各選局情報を並べ替えて表示する「ランダム」、ユーザが指定した順に各選局情報を並べ替えて表示する「カスタマイズ」、及び選局した日付が新しい順に各選局情報を並べ替えて表示する「日付順」等の各選択メニューが表示される。
【００５１】
ＣＰＵ１６は、ユーザにより操作部１３を介して所望の選択メニューが選択されると、この選択メニューを「表示順指定情報」としてメモリ１１に記憶する。そして、図３のフローチャートのステップＳ４に処理を進めた際に、このメモリ１１に記憶されている「表示順指定情報」に基づいて各選局情報の表示順序を並べ替えて表示部１４に表示する。
【００５２】
例えば、ラジオ放送を配信するネットワーク放送局であるチャンネルＡ、チャンネルＢ、チャンネルＣ、チャンネルＤ・・・の各選局情報がメモリ１１に記憶されており、過去の選局回数がチャンネルＣ、チャンネルＡ、チャンネルＤ・・・の順となっている場合、図４（ｂ）に示した表示順序の選択画面でユーザにより「選択回数順」が選択されると、ＣＰＵ１６は、図４（ｃ）に示すようにチャンネルＣ、チャンネルＡ、チャンネルＤの順に各選局情報を並べ替えて表示部１４に表示する。
【００５３】
また、チャンネルＡ、チャンネルＤ、チャンネルＢ・・等のように、ユーザにより所望の表示順序が指定されている場合（＝上記「カスタマイズ」）、ＣＰＵ１６は、このユーザにより指定されたチャンネルＡ、チャンネルＤ、チャンネルＢ・・の表示順序で各選局情報を並べ替えて表示部１４に表示する。
【００５４】
これにより、ユーザにより選局される可能性の高い順に、各選局情報を表示部１４の表示領域の上から順に並べて表示することができる。ユーザは、操作部１３の選局アップキー２７又は選局ダウンキー２８（或いは十字キー２３の上キー又は下キー）を操作することで所望の放送局に対応する選局情報を選択操作するのであるが、ＣＰＵ１６は、この選局アップキー２７及び選局ダウンキー２８を介した選択操作を検出する毎に、各選局情報の表示順に従って、各選局情報を、順次、選択制御する。
【００５５】
これにより、操作部１３の選局アップキー２７又は選局ダウンキー２８を操作するだけの簡単な操作で、ユーザが希望するネットワーク放送局を容易に選局可能とすることができる。
【００５６】
なお、この例では、現在、選局中の選局情報を表示によりユーザに認識させることとしたが、これは、現在、選局中の選局情報を所定の音声によりユーザに認識させるようにしてもよい。
【００５７】
［タイマ機能及び無線通信部の切り替え動作］
次に、この実施の形態の携帯電話機は、タイマ機能により、ネットワーク放送を連続的に視聴（聴取）する時間を予め指定することができ、また、近距離無線通信部２を優先的に用いて各ネットワーク放送局との間で通信は行うのであるが、通信に用いる無線通信部を通信状態に応じて、適宜、通信事業者網対応無線通信部１に切り替えるようになっている。図５のフローチャートは、このようなタイマ機能及び無線通信部の切り替え動作の流れを示している。
【００５８】
タイマ機能を用いる場合、ユーザは、操作部１３を操作することで、例えば３０分、１時間等のようにネットワーク放送を連続的に視聴（聴取）する連続視聴（聴取）時間を指定する。ＣＰＵ１６は、このユーザにより指定された連続視聴（聴取）時間をメモリ１１に記憶しておき、ネットワーク放送の視聴が開始されたタイミングで、上記タイマ１２でカウントされている現在時刻に基づいて、該メモリ１１に記憶された連続視聴（聴取）時間のカウントを開始する。
【００５９】
例えば、ユーザにより「３０分」の連続視聴（聴取）時間が指定された場合、ＣＰＵ１６は、図５のフローチャートのステップＳ２１において、ネットワーク放送の視聴開始から３０分が経過したか否かを判別する。そして、ネットワーク放送の視聴開始から３０分の経過を検出した場合、ユーザにより予め指定されている連続視聴（聴取）時間となったため、ネットワーク放送局からコンテンツの取り込みを停止（＝通信停止）するように、上記いずれかの無線通信部１，２を停止制御し、この図５のフローチャートの処理を終了する。
【００６０】
これに対して、ネットワーク放送の視聴開始から３０分の経過を検出しない場合、ＣＰＵ１６は処理をステップＳ２２に進め、現在、ネットワーク放送局との通信に用いている無線通信部の伝送速度は所定の伝送速度以上であるか否か（例えば２４ｋｂｐｓ以上であるか否か）を判別する。そして、現在、ネットワーク放送局との通信に用いている無線通信部の伝送速度が２４ｋｂｐｓ以上ではないと判別した場合、処理をステップＳ２６に進める。
【００６１】
ステップＳ２６では、現在、ネットワーク放送局との通信に用いている無線通信部の伝送速度が２４ｋｂｐｓ以上ではないため、ＣＰＵ１６が、現在、ネットワーク放送局との通信に用いている一方の無線通信部を通信停止制御すると共に、他方の無線通信部を用いて上記ネットワーク放送局からのコンテンツを取り込むように、該無線通信部の切り替え制御を行う。これにより、例えば現在、ネットワーク放送局との通信に用いている無線通信部が近距離無線通信部２であった場合、この近距離無線通信部２の代わりに通信事業者網対応無線通信部１を用いて上記ネットワーク放送局との間で通信を行い、反対に現在、ネットワーク放送局との通信に用いている無線通信部が通信事業者網対応無線通信部１であった場合、この通信事業者網対応無線通信部１の代わりに近距離無線通信部２を用いて上記ネットワーク放送局との間で通信を行うこととなる。
【００６２】
次に、このように用いる無線通信部の切り替えを行うと、ＣＰＵ１６は処理をステップＳ２７に進め、この切り替え後の無線通信部の伝送速度が所定の伝送速度以上であるか否かを判別する。そして、この切り替え後の無線通信部の伝送速度が所定の伝送速度よりも低い伝送速度である場合、切り替え前の無線通信部及び切り替え後の無線通信部の伝送速度が共に所定の伝送速度よりも低く、どちらの無線通信部を用いてもネットワーク放送局との通信は困難であることを示しているため、ＣＰＵ１６は、両方の無線通信部による通信を停止制御し、そのままこの図５のフローチャートに示す処理を終了する。
【００６３】
これに対して、上記切り替え後の無線通信部の伝送速度が所定の伝送速度よりも高い伝送速度である場合、これは無線通信部の切り替え前よりも切り替え後の方が良好な通信状態であることを示しているため、ＣＰＵ１６は、ステップＳ２８において、例えば１００ｍｓｅｃ等の所定時間、間隔を空けて所定をステップＳ２１に戻す。これにより、切り替え後の無線通信部とネットワーク放送局との間の通信が、上記ステップＳ２２において、所定の伝送速度よりも低いと判別されるまで継続して行われることとなる。
【００６４】
このように、ネットワーク放送局との間の通信に用いる無線通信部の切り替えを行った際に所定時間の間隔を空けることで、頻繁に無線通信部の切り替え制御が行われる不都合を防止することができる（＝伝送速度に応じて頻繁に無線通信部が切り替わる不都合を防止することができる。）。
【００６５】
次に、上記ステップＳ２２において、現在、ネットワーク放送局との通信に用いている無線通信部の伝送速度が所定の伝送速度以上であると判別した場合、ＣＰＵ１６は、処理をステップＳ２３に進め、現在、ネットワーク放送局との通信に用いている無線通信部は、通信事業者網対応無線通信部１であるか近距離無線通信部２であるかを判別すると共に、現在、用いている無線通信部が通信事業者網対応無線通信部１である場合に、近距離無線通信部２の伝送速度が所定の伝送速度以上であるか否かを判別する。
【００６６】
このステップＳ２３において、現在、ネットワーク放送局との通信に用いている無線通信部が近距離無線通信部２であると判別した場合、及び現在、ネットワーク放送局との通信に用いている無線通信部は通信事業者網対応無線通信部１であるが、近距離無線通信部２の伝送速度が所定の伝送速度よりも低いと判別した場合、ＣＰＵ１６は、処理をステップＳ２９に進め、ユーザから操作部１３を介してネットワーク放送の視聴（聴取）の終了が指定されたか否かを判別する。そして、ネットワーク放送の視聴（聴取）の終了操作を検出した場合、ＣＰＵ１６は、両方の無線通信部による通信を停止制御し、そのままこの図５のフローチャートに示す処理を終了する。また、ネットワーク放送の視聴（聴取）の終了が指定されていないと判別した場合は、処理をステップＳ２１に戻し、現在、用いている無線通信部を用いて上記ネットワーク放送局との間の通信を継続する。
【００６７】
一方、上記ステップＳ２３において、現在、ネットワーク放送局との通信に用いている無線通信部が通信事業者網対応無線通信部１であり、かつ、近距離無線通信部２の伝送速度が所定の伝送速度以上であると判別した場合、ＣＰＵ１６は処理をステップＳ２４に進め、現在、ネットワーク放送局との通信に用いている通信事業者網対応無線通信部１を通信停止制御し、代わりに近距離無線通信部２を用いてネットワーク放送局との通信を行うように該近距離無線通信部２を制御する。
【００６８】
これにより、近距離無線通信部２の伝送速度が低いために、通信事業者網対応無線通信部１を用いて通信を行っていた場合でも、近距離無線通信部２の伝送速度が回復したタイミングで、上記ネットワーク放送局との間の通信に用いる無線通信部を近距離無線通信部２に切り替えることができる。すなわち、通信事業者網対応無線通信部１及び近距離無線通信部２のうち、該近距離無線通信部２を優先的に用いることができる。
【００６９】
次に、ＣＰＵ１６は、このように通信事業者網対応無線通信部１から近距離無線通信部２に、上記ネットワーク放送局との間の通信に用いる無線通信部を切り替えると、ステップＳ２５において、例えば１００ｍｓｅｃ等の所定時間、間隔を空けて所定をステップＳ２１に戻す。これにより、上述のように頻繁に無線通信部の切り替え制御が行われる不都合を防止することができる（＝伝送速度に応じて頻繁に無線通信部が切り替わる不都合を防止することができる。）。
【００７０】
［実施の形態の効果］
以上の説明から明らかなように、この実施の形態の携帯電話機は、所望のネットワーク放送局を選択するための選局情報を、ユーザにより選局される可能性の高い順に並べて表示部１４に表示することができる。そして、ユーザにより操作部１３の選局アップキー２７又は選局ダウンキー２８（或いは十字キー２３の上キー又は下キー）が操作される毎に、各選局情報の表示順に従って、各選局情報を、順次、選択制御する。これにより、操作部１３の選局アップキー２７又は選局ダウンキー２８を操作するだけの簡単な操作で、ユーザが希望するネットワーク放送局を容易に選局可能とすることができる。
【００７１】
また、通信事業者網対応無線通信部１及び近距離無線通信部２を備えており、通信費用が無料或いは安価な近距離無線通信部２を優先的に用いて放送コンテンツの取り込みを行う。これにより、無料或いは安価に放送コンテンツの視聴（聴取）を可能とすることができる。
【００７２】
また、放送コンテンツの視聴中（聴取中）は、通信事業者網対応無線通信部１及び近距離無線通信部２の各伝送速度を監視しており、伝送速度が良好な無線通信部に、ネットワーク放送局との間の通信に用いる無線通信部を切り替えるようになっている。このため、放送コンテンツの安定した視聴（聴取）を可能とすることができる。
【００７３】
また、このネットワーク放送局との間の通信に用いる無線通信部を切り替え制御した際には、所定時間、間隔をあけて該無線通信部の切り替え制御の是非を判別するようになっているため、伝送速度に応じて頻繁に無線通信部が切り替わる不都合を防止することができる。
【００７４】
また、取り込みを行う放送コンテンツがネットワークラジオ放送局から配信されるラジオ放送の場合、このラジオ放送の聴取に不要な表示部１４を停止制御するようになっている。これにより、電源の無駄な電力が消費される不都合を防止することができる。
【００７５】
また、タイマ機能を有しており、放送コンテンツの連続視聴時間（連続聴取時間）が、予めユーザにより指定された時間となった際に、ネットワーク放送局との間の通信を停止制御して該放送コンテンツの視聴（聴取）を強制的に終了することができる。このため、放送コンテンツの連続視聴時間（連続聴取時間）を、ユーザが設定した時間内に制限可能とすることができる。
【００７６】
また、ネットワーク放送キー２６を操作してネットワーク放送の視聴（聴取）を指定し、上記選局情報に基づいて所望のネットワーク放送局を指定するだけの簡単な操作でネットワーク放送を視聴（聴取）することができるため、既存のラジオ受信機やテレビジョン受像機と略々同じ間隔で当該携帯電話機を操作して、上記ネットワーク放送を視聴（聴取）可能とすることができる。
【００７７】
また、近距離無線通信部２を備えているため、災害時等に通信事業者網対応無線通信部１が使用困難な場合でも通信を可能とすることができ、災害時等対応可能な携帯電話機を提供することができる。
【００７８】
また、ネットワークブラウザのアプリケーションプログラムを起動してネットワーク放送局と通信を行うと、ＣＰＵ１６やメモリ１１の負担及び消費電力が大きくなるが、当該実施の形態の携帯電話機の場合、上述のようにネットワーク放送キー２６を操作してネットワーク放送の視聴（聴取）を指定し、上記選局情報に基づいて所望のネットワーク放送局を指定するだけの簡単な操作でネットワーク放送を視聴（聴取）することができるため、ＣＰＵ１６やメモリ１１に負担及び消費電力を大幅に軽減することができる。
【００７９】
また、既存のラジオ受信機やテレビジョン受像機と略々同じ間隔で当該携帯電話機を操作してネットワーク放送を視聴（聴取）することができるため、当該携帯電話機の普及を期待することができる。そして、ネットワーク放送システムは、他の放送システムと比べて非常に安価に構築することができる。このため、初期投資の少ない放送システム及び簡単にネットワーク放送を視聴（聴取）可能な当該携帯電話機による、新たなネットワークビジネスを提供可能とすることができる。
【００８０】
［変形例］
上述の実施の形態の説明では、本発明を携帯電話機に適用することとしたが、本発明はこの他、ＰＨＳ電話機（PHS：Personal Handyphone System）、ＰＤＡ装置（PDA：Personal Digital Assistant），ノート型のパーソナルコンピュータ装置、据え置き型のパーソナルコンピュータ装置等の他の端末装置に適用してもよい。この場合でも、上述と同様の効果を得ることができる。
【００８１】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００８２】
【図１】本発明を適用した実施の形態となる携帯電話機のブロック図である。
【図２】実施の形態の携帯電話機の外観を示す斜視図である。
【図３】実施の形態の携帯電話機におけるネットワーク放送の視聴動作の流れを示すフローチャートである。
【図４】実施の形態の携帯電話機における所望のネットワーク放送局を選局するための選局情報の表示順序の並べ替え動作を説明するための図である。
【図５】実施の形態の携帯電話機における無線通信部の切り替え動作を説明するためのフローチャートである。
【符号の説明】
【００８３】
１  通信事業者網対応無線通信部、２  近距離無線通信部、３  通信事業者網対応無線通信部のアンテナ、４  分配器、５  送信回路、６  送信ＩＣ、７  受信回路、８  受信ＩＣ、９  近距離無線通信部のアンテナ、１０  無線ＬＡＮモジュール、１１  メモリ、１２  タイマ、１３  操作部、１４  表示部、１５  スピーカ部、１６  制御部（ＣＰＵ）、２１ａ  携帯電話機の筐体の正面部、２１ｂ  携帯電話機の筐体の右側面部、２２  １２キー、２３  十字キー、２４  オンフックキー、２５  オフフックキー、２６  ネットワーク放送キー、２７  選局アップキー、２８  選局ダウンキー
【図１】
2007036911.tif 000003
【図２】
2007036911.tif 000004
【図３】
2007036911.tif 000005
【図４】
2007036911.tif 000006
【図５】
2007036911.tif 000007